(57)【特許請求の範囲】
【請求項１】
複数のシートが連なった状態で収納される容器本体部と、
上記容器本体部を閉塞するキャップ部とを備えたシート収納用容器において、
上記キャップ部には、上記シートを挿入して保持しておくためのシート止めスリットと、上記容器本体部に収容された上記シートを取り出して上記シート止めスリットに挿入してセットするためのセット用開口部と、該セット用開口部を開閉するためのセット用開口部蓋と、上記シート止めスリットを開閉するためのスリット蓋とが設けられ、
上記セット用開口部蓋が開かないようにロックするためのロック部が上記スリット蓋に設けられ、該ロック部は、上記スリット蓋が閉状態にあるときに上記セット用開口部蓋をロック状態とする一方、上記スリット蓋が開状態になったときに上記セット用開口部蓋のロックを解除するロック解除状態とすることを特徴とするシート収納用容器。
【請求項２】
請求項１に記載のシート収納用容器において、
上記セット用開口部蓋は、上記シート止めスリットを覆うように形成され、
上記セット用開口部蓋には、上記シート止めスリットを開放してシートを取り出すための取出用開口部が設けられ、
上記スリット蓋は、上記取出用開口部を閉塞するように形成されるとともに、上記セット用開口部蓋に係合することを特徴とするシート収納用容器。
【請求項３】
請求項１または２に記載のシート収納用容器において、
上記スリット蓋の開閉方向と、上記セット用開口部蓋との開閉方向とが異なる方向に設定されていることを特徴とするシート収納用容器。
【発明の詳細な説明】
【技術分野】
【０００１】
本発明は、例えばウェットシートのようなシート状の部材を収納するための容器に関するものである。
【背景技術】
【０００２】
従来から、この種のシート収納用容器としては、例えば、特許文献１に開示されているように、多数枚が連続して一体となったウェットシートを収納する容器本体部と、容器本体部に設けられたキャップ部とを備え、シートを１枚ずつ取り出して使用することができるように構成されたものが知られている。
【０００３】
特許文献１の容器のキャップ部には、シートが容器本体部内に落ち込まないように止めて保持しておくためシート止めスリットと、容器本体部内のウェットシートを取り出してシート止めスリットにセットするための大型のセット用開口部とが形成されている。さらに、キャップ部には、セット用開口部を開閉するための大蓋が設けられている。この大蓋は、シート止めスリットも一緒に覆うように形成されている。大蓋には、シート止めスリットを開閉するための小蓋が設けられている。
【０００４】
従って、使用開始時に容器本体部内の１枚目のシートをシート止めスリットにセットする際には、大蓋を開状態にしてセット用開口部からシートを取り出してシート止めスリットに挿入してセットすることができ、一方、そのシートを使う際には、大蓋を閉状態にしたまま、小蓋のみを開状態にしてシート止めスリットに止めてあるシートを取り出せばよいので、セット用開口部を開放する頻度を低減することが可能になる。
【先行技術文献】
【特許文献】
【０００５】
【特許文献１】特開２０００−３５５３４０号公報
【発明の概要】
【発明が解決しようとする課題】
【０００６】
しかしながら、上記特許文献に開示されているものでは、キャップ部の大蓋に小蓋を設けており、さらに大蓋の開方向と小蓋の開方向とを一致させている。このため、例えばシートを使うために使用者が小蓋を開けようとして開方向に力を加えた際、大蓋にも開方向の力が作用することになり、大蓋が不意に開いてしまうことが考えられる。大蓋が開状態になると、大型のセット用開口部が開放されてしまうので、外部の空気等が容器本体部に侵入し、このことによって容器本体部内に収納されているシートを清潔に維持するのが困難になったり、ウェットシートの場合にはシートが乾燥し易くなるという問題があった。
【０００７】
また、小蓋を開けようとしているときに大蓋が開いてしまうと、大蓋を閉じてから小蓋を開ける操作を再び行わなければならないので、使用者にとって操作が煩雑になり、使い難い容器となってしまう。
【０００８】
本発明は、かかる点に鑑みてなされたものであり、その目的とするところは、シートをセットするためのセット用開口部と、シートを止めておくためのシート止めスリットとをキャップ部に形成してそれぞれを開閉する場合に、シートを使おうとする際にセット用開口部が不意に開放されてしまないようにすることにある。
【課題を解決するための手段】
【０００９】
上記目的を達成するために、本発明では、シート止めスリットを開閉するスリット蓋が閉状態にあるときにセット用開口部をロックするようにした。
【００１０】
第１の発明は、複数のシートが連なった状態で収納される容器本体部と、
上記容器本体部を閉塞するキャップ部とを備えたシート収納用容器において、
上記キャップ部には、上記シートを挿入して保持しておくためのシート止めスリットと、上記容器本体部に収容された上記シートを取り出して上記シート止めスリットに挿入してセットするためのセット用開口部と、該セット用開口部を開閉するためのセット用開口部蓋と、上記シート止めスリットを開閉するためのスリット蓋とが設けられ、
上記セット用開口部蓋が開かないようにロックするためのロック部が上記スリット蓋に設けられ、該ロック部は、上記スリット蓋が閉状態にあるときに上記セット用開口部蓋をロック状態とする一方、上記スリット蓋が開状態になったときに上記セット用開口部蓋のロックを解除するロック解除状態とすることを特徴とするものである。
【００１１】
この構成によれば、スリット蓋が閉状態にあるときには、ロック部によってセット用開口部用蓋がロックされるので、スリット蓋よりも先にセット用開口部蓋が開いてしまうことはない。従って、使用者が容器本体部からシートを取り出そうとした際に、スリット蓋に開方向の力を作用させたとき、その力が仮にセット用開口部蓋に対して開方向に作用したとしても、スリット蓋が開くまではセット用開口部蓋が開くことはない。これにより、セット用開口部が不要時に開放される頻度を低減することが可能になるとともに、スリット蓋を開けようとしているときにセット用開口部蓋が開いてしまわないようにすることが可能になる。
【００１２】
第２の発明は、第１の発明において、
上記セット用開口部蓋は、上記シート止めスリットを覆うように形成され、
上記セット用開口部蓋には、上記シート止めスリットを開放してシートを取り出すための取出用開口部が設けられ、
上記スリット蓋は、上記取出用開口部を閉塞するように形成されるとともに、上記セット用開口部蓋に係合することを特徴とするものである。
【００１３】
この構成によれば、スリット蓋をセット用開口部蓋に係合させることにより、スリット蓋が閉状態となり、これにより、セット用開口部蓋がロック状態となる。一方、スリット蓋をセット用開口部蓋から離脱させると、スリット蓋を開状態とすることが可能になるとともに、セット用開口部蓋のロックが解除状態された状態となる。つまり、スリット蓋をセット用開口部蓋に係脱させるだけで、スリット蓋の開閉と、セット用開口部蓋のロック及びロック解除とを同時に行うことが可能になる。
【００１４】
第３の発明は、第１または２の発明において、
上記スリット蓋の開閉方向と、上記セット用開口部蓋との開閉方向とが異なる方向に設定されていることを特徴とするものである。
【００１５】
この構成によれば、シートを取り出そうとしてスリット蓋を開ける際、スリット蓋の開閉方向がセット用開口部蓋の開閉方向と異なっているので、セット用開口部蓋が不意に開いてしまうのをより確実に防止することが可能になる。
【発明の効果】
【００１６】
第１の発明によれば、シート止めスリットを開閉するスリット蓋と、シートをシート止めスリットにセットするためのセット用開口部を開閉するセット用開口部蓋とを設ける場合に、スリット蓋が閉状態にあるときにセット用開口部蓋をロック状態とする一方、スリット蓋が開状態になったときにロック解除状態とするようにしている。これにより、スリット蓋を開状態にする前にセット用開口部蓋が開いてしまうことがなくなるので、セット用開口部が不要時に開放される頻度を低減して内部のシートを清潔に保つことができるとともに、シートがウェットシートである場合には乾燥を抑制でき、さらに、スリット蓋のみを簡単に開くことができ、使用者にとって使用し易い容器とすることができる。
【００１７】
第２の発明によれば、スリット蓋をセット用開口部蓋に係脱させるだけで、スリット蓋の開閉と、セット用開口部蓋のロック及びロック解除とを同時に行うことができるので、利便性をより一層高めることができる。
【００１８】
第３の発明によれば、スリット蓋の開閉方向とセット用開口部蓋の開閉方向とを異なる方向にしたので、セット用開口部蓋が不意に開いてしまうのをより確実に防止できる。
【図面の簡単な説明】
【００１９】
【図１】実施形態１にかかるシート収納用容器の斜視図である。
【図２】大蓋及び小蓋が開状態にあるシート収納用容器を手前側から見た拡大斜視図である。
【図３】大蓋及び小蓋が開状態にあるシート収納用容器を奥側から見た拡大斜視図である。
【図４】大蓋及び小蓋が開状態にあるシート収納用容器の平面図である。
【図５】大蓋のみが閉状態にあるシート収納用容器の斜視図である。
【図６】大蓋及び小蓋が閉状態にあるシート収納用容器の斜視図である。
【図７】実施形態１の変形例にかかる図１相当図である。
【図８】実施形態２にかかる図１相当図である。
【図９】大蓋及び小蓋が開状態にあるシート収納用容器の斜視図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
（実施形態１）
図１は、本発明の実施形態１にかかるシート収納用容器１を示す図である。シート収納用容器１には、例えば複数枚のウェットシートが連なった状態で収納されるようになっている。使用者はシート収納用容器１内のシートを１枚ずつ取り出して使用することができるようになっている。
【００２２】
シート収納用容器１は、容器本体部１０と、キャップ部２０とを備えている。容器本体部１０及びキャップ部２０は共に弾性を有する樹脂材で構成されている。
【００２３】
尚、この実施形態の説明では、説明の便宜を図るために、容器１を使用者が持って使用する際に、使用者の左になる側を単に「左」といい、また、右になる側を単に「右」といい、また、使用者の手前になる側を単に「手前」といい、また、使用者の奥になる側を単に「奥」というものとする。
【００２４】
容器本体部１０は、有底の略円筒形状となっており、上端は略全体が開口している。容器本体部１０の外周面の上部には、キャップ部２０が係合する係合部（図示せず）が形成されている。この係合部にキャップ部２０を係合させることでキャップ部２０が容器本体部１０に取り付けられて該容器本体部１０の上端開口が閉塞される。一方、キャップ部２０を容器本体部１０の係合部から外すことで容器本体部１０の上端開口が開放される。
【００２５】
複数のシートはロール状に巻かれており、その軸線が容器本体部１０の軸線方向に延びる姿勢とされて容器本体部１０に収納される。また、シートとシートとの境界部分には、シートを容易に分離させるためのミシン目が形成されている。
【００２６】
図２及び図３に示すように、キャップ部２０は、本体部２１と、大蓋（セット用開口部蓋）３０と、小蓋（スリット蓋）４０とを備えている。本体部２１は、略円形に形成された閉塞板部２２と、閉塞板部２２の周縁部から下方へ延びる周壁部２３とが一体成形されてなるものである。
【００２７】
閉塞板部２２は、容器本体部１０の上端開口を閉塞するためのものである。周壁部２３は、容器本体部１０の外周面の上部を覆うように形成されている。周壁部２３の内周面には、容器本体部１０の係合部に係合する被係合部（図示せず）が設けられている。
【００２８】
閉塞板部２２の上面における外周側には、溝２２ａが形成されている。溝２２ａは、円環状に延びており、閉塞板部２２の中心と同心状に位置している。この溝２２ａは、閉塞板部２２を下方へ膨出させることによって形成されている。
【００２９】
閉塞板部２２の上面における溝２２ａよりも内側には、略円形に窪む凹部２２ｂが形成されている。凹部２２ｂは閉塞板部２２の略中央部に位置している。
【００３０】
凹部２２ｂの底壁部には、上方へ膨出する膨出部２２ｃが形成されている。膨出部２２ｃは、凹部２２ｂ内において閉塞板部２２の手間側に変位している。図４にも示すように、膨出部２２ｃは平面視で略矩形状となっている。膨出部２２ｃの上壁は、閉塞板部２２の上壁と連なるとともに、該上壁と同一面上に位置している。
【００３１】
凹部２２ｂの底壁には、膨出部２２ｃの左側壁と凹部２２ｂの周壁とを連結する左側リブ２４ａと、膨出部２２ｃの右側壁と凹部２２ｂの周壁とを連結する右側リブ２４ｂとが形成されている。左側リブ２４ａ及び右側リブ２４ｂは、左右方向に延びている。さらに、凹部２２ｂの底壁には、膨出部２２ｃの奥側の側壁に連なる一対の奥側リブ２４ｃ，２４ｃが左右方向に間隔をあけて形成されている。奥側リブ２４ｃ，２４ｃは互いに略平行である。上記リブ２４ａ、２４ｂ、２４ｃの形成により、膨出部２２ｃ近傍の剛性が高められている。
【００３２】
膨出部２２ｃの上壁には、シートを挿入して保持しておくためのシート止めスリット２５が形成されている。一方、凹部２２ｂの底壁部には、容器本体部１０に収容されたシートを取り出してシート止めスリット２５に挿入してセットするためのセット用開口部２６が形成されている。セット用開口部２６は、閉塞板部２２の中央部近傍において、シート止めスリット２５よりも奥側に位置するように開口している。セット用開口部２６の形状は、閉塞板部２２の中心部近傍を中心した略扇型とされている。セット用開口部２６の手前側は、膨出部２２ｃの奥側に達しており、シート止めスリット２５と連続している。
【００３３】
セット用開口部２６の開口面積及び形状は、例えば、使用者が指を容器本体部１０内に差し込んで内部のシートを摘んで取り出すことができるように大型に設定されている。これにより、キャップ部２０を容器本体部１０から取り外すことなく、容器本体部１０内のシートをシート止めスリット２５にセットすることが可能になる。
【００３４】
シート止めスリット２５は、第１スリット２５ａと、第１スリット２５ａに連続する左側及び右側第２スリット２５ｂ，２５ｃと、第１スリット２５ａに連続する左側及び右側第３スリット２５ｄ，２５ｅとを有している。
【００３５】
第１スリット２５ａは、セット用開口部２６の手前側の左右方向中央部に連続して手前側（セット用開口部２６から離れる方向）に向かって略直線状に延びている。第１スリット２５ａのセット用開口部２６側（奥側）は、セット用開口部２６に近づくほど幅が広くなるように形成されている。これにより、セット用開口部２６内のシートを第１スリット２５ａ内へ挿入しやすくしている。
【００３６】
第１スリット２５ａの手前側は略円形となるように幅が広くなっており、幅広部２５ｆとなっている。この幅広部２５ｆ内にシートが挿入されるようになっている。また、幅広部２５ｆの周囲には、薄肉部２２ｄが形成されている。この薄肉部２２ｄは、閉塞板部２２の肉厚を薄くして弾性変形しやすくした部分である。
【００３７】
左側第２スリット２５ｂは、幅広部２５ｆの左奥側からセット用開口部２６側に向かって該セット用開口部２６には達しないように直線状に延びている。この左側第２スリット２５ｂと第１スリット２５ａとのなす角度は、１０度以上８０度以下に設定されている。
【００３８】
右側第２スリット２５ｃは、幅広部２５ｆの右奥側からセット用開口部２６側に向かって該セット用開口部２６には達しないように直線状に延びている。この右側第２スリット２５ｃと第１スリット２５ａとのなす角度は、１０度以上８０度以下に設定されている。
【００３９】
左側第３スリット２５ｄは、幅広部２５ｆの左手前側からキャップ部２０の左手前（セット用開口部２６から離れる方向）に向かって直線状に延びている。また、右側第３スリット２５ｅは、幅広部２５ｆの右手前側からキャップ部２０の右手前に向かって直線状に延びている。
【００４０】
左側及び右側第２スリット２５ｂ，２５ｃの幅と、左側及び右側第３スリット２５ｄ，２５ｅの幅とは、第１スリット２５ａの幅のうち、最も狭い部位の幅と略同じに設定されている。
【００４１】
左側及び右側第２スリット２５ｂ，２５ｃの長さは、左側及び右側第３スリット２５ｄ，２５ｅよりも長く設定されている。
【００４２】
また、上記大蓋３０は、閉塞板部２２の略全体を覆うことができる円形の板状に形成されている。この大蓋３０はヒンジ３１を有している。大蓋３０の奥側の縁部がヒンジ３１により閉塞板部２２の奥側の縁部に連結されている。ヒンジ３１は、樹脂の持つ弾性を利用して屈曲するように構成された、いわゆる薄肉ヒンジであり、大蓋３０の本体部分及び閉塞板部２２に一体成形されている。ヒンジ３１による大蓋３０の開方向は手前から奥に向かう方向であり、閉方向はその反対の奥から手前に向かう方向である。
【００４３】
図５に示すように、大蓋３０には、シート止めスリット２５に対応する部位に、取出用開口部３２が形成されている。この取出用開口部３２は、シート止めスリット２５を露出させて該シート止めスリット２５に保持されているシートを取り出すためのものである。この実施形態では、取出用開口部３２を略矩形状に形成しているが、これに限らず、例えば円形であってもよい。
【００４４】
図２に示すように、大蓋３０の裏面の外周側には、略円環状に延びる突条部３３が形成されている。突条部３３は、キャップ部２０の閉塞板部２２の溝２２ａに嵌入するようになっている。突条部３３を溝２２ａに嵌入させることにより大蓋３０が閉状態で保持される。
【００４５】
大蓋３０の手前側の縁部には、突起３５が形成されている。この突起３５は閉状態にある大蓋３０を開方向に操作する際に指を引っかけるためのものである。
【００４６】
図１に示すように、小蓋４０は、大蓋３０の取出用開口部３２を閉塞するためのものであり、取出用開口部３２の形状と略同じ形状とされている。小蓋４０は連結バンド（ロック部）４１を有している。小蓋４０の手前側の縁部は連結バンド４１により周壁部２３の外周面に連結されている。連結バンド４１は柔軟性を有しており、小蓋４０の本体部分及び周壁部２３に一体成形されている。小蓋４０の開方向は奥前から手前に向かう方向であり、閉方向はその反対の手前から奥に向かう方向である。すなわち、大蓋３０と小蓋４０とは開閉方向が異なっている。
【００４７】
小蓋４０が取出用開口部３２を閉塞した状態で小蓋４０の周縁部が取出用開口部３２の周縁部に係合して小蓋４０の閉状態が維持されるようになっている。この小蓋４０は周壁部２３に連結されていて大蓋３０に係合した状態で閉状態となるので、小蓋４０が閉状態にあるときには大蓋３０を開方向に操作することができない。一方、小蓋４０を開状態にすると小蓋４０が大蓋３０から離れるので大蓋３０を開方向に操作することが可能になる。
【００４８】
つまり、小蓋４０の連結バンド４１は、大蓋３０を開かないようにロックするためのロック部であり、連結バンド４１は、小蓋４０が閉状態にあるときに大蓋３０をロック状態とする一方、小蓋４０が開状態になったときに大蓋３０のロックを解除するロック解除状態になる。
【００４９】
次に、上記のように構成されたシート収納用容器１を使用する場合について説明する。容器本体部１０の内部には、ロール状に巻かれたシートが、その軸線を容器本体部１０の軸線方向に向けた状態で収納されている。尚、シートはウェットシートである。
【００５０】
容器本体部１０内のシートをシート止めスリット２５にセットする際には、まず、図２〜図４に示すように、大蓋３０及び小蓋４０を開状態にする。そして、使用者がセット用開口部２６内に指を差し込んで１枚目のシートを掴み、セット用開口部２６内まで引き上げる。その後、１枚目のシートを摘んだまま、キャップ部２０の手前側に移動させていき、シート止めスリット２５の第１スリット２５ａに挿入していく。このとき、図４に示すように、第１スリット２５ａのセット用開口部２６側が幅広に形成されているので、シートをスムーズに第１スリット２５ａ内に導くことが可能になる。
【００５１】
第１スリット２５ａ内に挿入したシートは第１スリット２５ａ内を手前側に移動させていき、第１スリット２５ａの幅広部２５ｆ内に位置付ける。シートは第１スリット２５ａの周縁部により挟まれた状態で保持されるので容器本体部１０内に落ち込むことはない。これにより、シートがシート止めスリット２５にセットされた状態となる。
【００５２】
シートのセットが終了すると、図５に示すように大蓋３０をヒンジ３１周りに手前側へ回動させ、大蓋３０の突条部３３をキャップ部２０の閉塞板部２２の溝２２ａに嵌入して閉状態にする。これにより、セット用開口部２６が閉状態になり、外部の空気等が容器本体部１０に侵入し難くなるので、シートを清潔に維持できるとともに、シートの乾燥を抑制できる。
【００５３】
シートを使用しないときには、図６に示すように、小蓋４０を大蓋３０の取出用開口部３２に嵌めて該取出用開口部３２の周縁部に係合させておく。これにより、小蓋４０が閉状態で保持される。
【００５４】
そして、シートを使用する際には、図５に示すように小蓋４０を開状態にする。小蓋４０が開状態になる前には、連結バンド４１によって大蓋３０がロックされているので、大蓋３０が誤って開状態になることはない。
【００５５】
小蓋４０を開状態にすると、シート止めスリット２５が大蓋３０の取出用開口部３２から露出するので、１枚目のシートが取出用開口部３２から外部に臨む。従って、使用者がシートを使用する際には、大蓋３０を開けることなく、取出用開口部３２内のシートを摘んで上方へ引っ張ることにより容器本体部１０内から取り出して使用することができる。１枚目のシートを取り出した後、２枚目のシートが第１スリット２５ａに差し掛かるとミシン目の部分で１枚目のシートが２枚目のシートからちぎれる。そして、２枚目のシートが第１スリット２５ａの周縁部で挟まれた状態でシート止めスリット２５に保持される。
【００５６】
シートを引っ張る際には、シート止めスリット２５の周縁部が上方へ撓むように変形し、このことで特に第１スリット２５ａの幅が広がるのでシートの取り出しに要する力が低減する。この実施形態では、左側及び右側第２スリット２５ｂ，２５ｃがセット用開口部２６に向かって第１スリット２５ａに対し斜めに延びているので、第１スリット２５ａと左側第２スリット２５ｂとの間の部位、及び第１スリット２５ａと右側第２スリット２５ｃとの間の部位の幅が狭くなり、それらの部位が変形し易くなる。このことにより、シートの取り出しに要する力がより一層低減する。
【００５７】
また、シートを引っ張る際には、例えば左奥側や右奥側に引っ張られることがある。第１スリット２５ａの幅広部２５ｆに保持されているシートが、例えば左奥側に引っ張られた場合には、第１スリット２５ａには左側第２スリット２５ｂが連続していて、その左側第２スリット２５ｂがシートの引っ張られる方向（左奥側）に延びているので、シートの辺縁部が左側第２スリット２５ｂに入り込んでいく。これにより、シートが第１スリット２５ａの奥側へ向けて移動することによりセット用開口部２６に達して容器本体部１０内に落ち込んでしまう頻度が低減する。
【００５８】
このとき、第３スリット２５ｄ，２５ｅが形成されていることにより、シート止めスリット２５近傍が変形し易くなっている。これにより、シートが第２スリット２５ｂ，２５ｃに入り込みやすくなり、また、シートを取り出すのに要する力を低減することが可能になる。
【００５９】
シートを右奥側に引っ張った場合にも同様に右側第２スリット２５ｃが右奥側に延びているので、シートの辺縁部が右側第２スリット２５ｃに入り込み、セット用開口部２６に達して容器本体部１０内に落ち込んでしまう頻度が低減する。
【００６０】
さらに、シートを真上に引っ張る場合であっても、容器本体部１０内のロールの位置等によっては、シートが第１スリット２５ａの幅広部２５ｆから左奥側や右奥側に移動しようとする場合があるが、この実施形態では、シートの辺縁部が左側第２スリット２５ｂや右側第２スリット２５ｃに入り込むことによってセット用開口部２６に達して容器本体部１０内に落ち込んでしまう頻度が低減する。
【００６１】
以上説明したように、この実施形態１にかかるシート収納用容器１によれば、シート止めスリット２５を開閉する小蓋４０と、シートをシート止めスリット２５にセットするためのセット用開口部２６を開閉する大蓋３０とを設ける場合に、小蓋４０が閉状態にあるときに大蓋３０をロック状態とする一方、小蓋４０が開状態になったときにロック解除状態とするようにしている。これにより、小蓋４０を開状態にする前に大蓋３０が開いてしまうことがなくなるので、セット用開口部２６が不要時に開放される頻度を低減して内部のシートを清潔に保つことができるとともに、シートがウェットシートである場合には乾燥を抑制でき、さらに、小蓋４０のみを簡単に開くことができ、使用者にとって使用し易い容器とすることができる。
【００６２】
また、小蓋４０を大蓋３０に係脱させるだけで、小蓋４０の開閉と、大蓋３０のロック及びロック解除とを同時に行うことができるので、利便性をより一層高めることができる。
【００６３】
また、大蓋３０と小蓋４０との開閉方向を異なる方向にしたので、大蓋３０が不意に開いてしまうのをより確実に防止できる。
【００６４】
尚、上記実施形態１では、小蓋４０の連結バンド４１をキャップ部２０に連結しているが、これに限らず、例えば、図７に示す変形例のように、容器本体部１０に連結するようにしてもよい。
【００６５】
（実施形態２）
図８及び図９は、本発明の実施形態２にかかるシート収納用容器１を示すものである。この実施形態２のシート収納用容器１は、大蓋及び小蓋の構成が実施形態１のものと異なっているだけで、他の部分は実施形態１と同じである。以下、実施形態１と同じ部分には同じ符号を付して説明を省略し、異なる部分について詳細に説明する。
【００６６】
すなわち、実施形態２の大蓋５０は、ヒンジ５１を有している。ヒンジ５１は閉塞板部２２の奥側の縁部に連結されている。大蓋５０は、キャップ部２０の閉塞板部２２の奥側からセット用開口部２６が形成された部位までを覆い、かつ、閉塞板部２２のシート止めスリット２５が形成された部位から手前側の縁部までは覆わないように形成されている。大蓋５０には、閉状態のときにキャップ部２０に係合する爪部（図示せず）が形成されている。
【００６７】
小蓋５５は、ヒンジ５６を有している。ヒンジ５６は閉塞板部２２の手前側の縁部に連結されている。小蓋５５は、閉塞板部２２の手間側からシート止めスリット２５が形成された部位までを覆うように形成されている。小蓋５５には、閉状態のときにキャップ部２０に係合する爪部（図示せず）が形成されている。小蓋５５のヒンジ５６と反対側の縁部は、大蓋５０のヒンジ５１と反対側の縁部を上方から覆うように形成されたロック部５５ａとされている。
【００６８】
従って、大蓋５０を閉状態にしてから小蓋５５を閉状態にすると、小蓋５５のロック部５５ａが大蓋５０の縁部を覆うように位置することになるので、小蓋５５を開かなければ大蓋５０を開くことはできず、大蓋５０がロック状態となる。一方、小蓋５５が開状態にあるときには、ロック部５５ａが大蓋５０から離れるので、大蓋５０のロックが解除される。つまり、ロック部５５ａは、小蓋５５が閉状態にあるときに大蓋５０をロック状態とする一方、小蓋５５が開状態になったときに大蓋５０のロックを解除するロック解除状態となる。
【００６９】
次に、シート収納用容器１を使用する場合について説明する。シートを使用しないときには、図８に示すように大蓋５０及び小蓋５５を閉状態にする。
【００７０】
そして、シートを使用する際には、小蓋５５のみを開状態にする。小蓋５５が開状態になる前には、大蓋５０がロック部５５ａによりロックされているので、大蓋５０が誤って開状態になることはない。
【００７１】
小蓋５５を開状態にすると、シート止めスリット２５が露出するので、１枚目のシートが外部に臨む。従って、使用者がシートを使用する際には、大蓋５０を開けることなく容器本体部１０内から取り出して使用することができる。
【００７２】
したがって、この実施形態２にかかるシート収納用容器１によれば、実施形態１と同様に、小蓋５５を開状態にする前に大蓋５０が開いてしまうことがなくなるので、セット用開口部２６が不要時に開放される頻度を低減して内部のシートを清潔に保つことができるとともに、シートがウェットシートである場合には乾燥を抑制でき、さらに、小蓋５５のみを簡単に開くことができ、使用者にとって使用し易い容器とすることができる。
【００７３】
尚、シート収納用容器１に収納するシートとしては、例えば、ティッシュや不織布等の薄いものであればよく、乾燥状態で収納してもよいし、除菌剤等の薬液を含浸させた状態で収納してもよい。また、シートはロール状に巻いた状態で収納してもよいし、折り畳んだ状態で収納してもよい。
【００７４】
また、上記実施形態１、２では、シート止めスリット２５が第３スリット２５ｄ，２５ｅを有しているが、これら第３スリット２５ｄ，２５ｅは省略してもよい。
【産業上の利用可能性】
【００７５】
以上説明したように、本発明にかかるシート収納用容器は、例えば、ウェットシートを収納する場合に適用できる。
【符号の説明】
【００７６】
１          シート収納用容器
１０        容器本体部
２０        キャップ部
２５        シート止めスリット
２６        セット用開口部
３０        大蓋（セット用開口部蓋）
３２        取出用開口部
４０        小蓋（スリット蓋）
４１        連結バンド（ロック部）
５０        大蓋（セット用開口部蓋）
５５        小蓋（スリット蓋）
５５ａ      ロック部
【図１】
0005903323.tif 000002
【図２】
0005903323.tif 000003
【図３】
0005903323.tif 000004
【図４】
0005903323.tif 000005
【図５】
0005903323.tif 000006
【図６】
0005903323.tif 000007
【図７】
0005903323.tif 000008
【図８】
0005903323.tif 000009
【図９】
0005903323.tif 000010